【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ディスプレイと、
複数のグループの各オーナー電子機器と通信接続され、第１電子機器と第２電子機器とが属するグループで作成され、前記第１電子機器上で手書き入力された複数の第１ストロークに対応する第１ストロークデータと、前記第２電子機器上で手書き入力された複数の第２ストロークに対応する第２ストロークデータとを含むドキュメントを、受信する受信手段と、
前記複数のグループの各グループに属する各ユーザの貢献を算出する処理手段と、
を具備し、
前記処理手段は、
前記第１ストロークデータを用いて、前記グループに属する第１ユーザが前記第１電子機器を使用して前記ドキュメントの作成に貢献した度合いに関する第１貢献度を算出し、
前記第２ストロークデータを用いて、前記グループに属する第２ユーザが前記第２電子機器を使用して前記ドキュメントの作成に貢献した度合いに関する第２貢献度を算出し、
前記ドキュメント、前記第１貢献度、及び前記第２貢献度を前記ディスプレイの画面に表示する
電子機器。
【請求項２】
前記処理手段は、
前記第１ストロークデータに含まれるストロークの数、前記第１ストロークデータに含まれる複数の点の数、前記第１ストロークデータに含まれるストロークの長さ、の１つ以上に基づいて、前記第１貢献度を算出し、
前記第２ストロークデータに含まれるストロークの数、前記第２ストロークデータに含まれる複数の点の数、前記第２ストロークデータに含まれるストロークの長さ、の１つ以上に基づいて、前記第２貢献度を算出する
請求項１に記載の電子機器。
【請求項３】
前記処理手段は、
前記第１ユーザによる前記第１ストロークデータ及び前記第２ストロークデータの入力又は編集において、手書き入力されるストロークのペンタイプ、色、太さ、及び透過度の少なくとも１つで規定される属性の変更に関する度合いにより前記第１貢献度を算出し、
前記第２ユーザによる前記第１ストロークデータ及び前記第２ストロークデータの入力又は編集において、手書き入力されるストロークのペンタイプ、色、太さ、及び透過度の少なくとも１つで規定される属性の変更に関する度合いにより前記第２貢献度を算出する
請求項１に記載の電子機器。
【請求項４】
前記処理手段は、
前記第１ユーザが前記第１電子機器を使用して、前記第２ストロークデータの内の１つ以上のストロークを編集した度合いにより前記第１貢献度を算出し、
前記第２ユーザが前記第２電子機器を使用して、前記第１ストロークデータの内の１つ以上のストロークを編集した度合いにより前記第２貢献度を算出する
請求項１に記載の電子機器。
【請求項５】
前記処理手段は、
前記第１ユーザが前記第１電子機器を使用して、前記第１ストロークデータが手書き入力されたときの時間の偏りに関する度合いにより前記第１貢献度を算出し、
前記第２ユーザが前記第２電子機器を使用して、前記第２ストロークが手書き入力されたときの時間の偏りに関する度合いにより前記第２貢献度を算出する
請求項１に記載の電子機器。
【請求項６】
複数のグループの各オーナー電子機器と通信接続され、第１電子機器と第２電子機器とが属するグループで作成され、前記第１電子機器上で手書き入力された複数の第１ストロークに対応する第１ストロークデータと、前記第２電子機器上で手書き入力された複数の第２ストロークに対応する第２ストロークデータとを含むドキュメントを、受信することと、
前記グループに属する第１ユーザの貢献を算出するため、前記第１ストロークデータを用いて、前記第１ユーザが前記第１電子機器を使用して前記ドキュメントの作成に貢献した度合いに関する第１貢献度を算出することと、
前記グループに属する第２ユーザの貢献を算出するため、前記第２ストロークデータを用いて、前記第２ユーザが前記第２電子機器を使用して前記ドキュメントの作成に貢献した度合いに関する第２貢献度を算出することと、
前記ドキュメント、前記第１貢献度、及び前記第２貢献度をディスプレイの画面に表示することと、
を含む方法。
【請求項７】
前記第１貢献度を算出することは、前記第１ストロークデータに含まれるストロークの数、前記第１ストロークデータに含まれる複数の点の数、前記第１ストロークデータに含まれるストロークの長さ、の１つ以上に基づいて、前記第１貢献度を算出することを含み、
前記第２貢献度を算出することは、前記第２ストロークに含まれるストロークの数、前記第２ストロークデータに含まれる複数の点の数、前記第２ストロークデータに含まれるストロークの長さ、の１つ以上に基づいて、前記第２貢献度を算出することを含む
請求項６に記載の方法。
【請求項８】
前記第１貢献度を算出することは、前記第１ユーザによる前記第１ストロークデータ及び前記第２ストロークデータの入力又は編集において、手書き入力されるストロークのペンタイプ、色、太さ、及び透過度の少なくとも１つで規定される属性の変更に関する度合いにより前記第１貢献度を算出することを含み、
前記第２貢献度を算出することは、前記第２ユーザによる前記第１ストロークデータ及び前記第２ストロークデータの入力又は編集において、手書き入力されるストロークのペンタイプ、色、太さ、及び透過度の少なくとも１つで規定される属性の変更に関する度合いにより前記第２貢献度を算出することを含む
請求項６に記載の方法。
【請求項９】
前記第１貢献度を算出することは、前記第１ユーザが前記第１電子機器を使用して、前記第２ストロークデータの内の１つ以上のストロークを編集した度合いにより前記第１貢献度を算出することを含み、
前記第２貢献度を算出することは、前記第２ユーザが前記第２電子機器を使用して、前記第１ストロークデータの内の１つ以上のストロークを編集した度合いにより前記第２貢献度を算出することを含む
請求項６に記載の方法。
【請求項１０】
前記第１貢献度を算出することは、前記第１ユーザが前記第１電子機器を使用して、前記第１ストロークデータが手書き入力されたときの時間の偏りに関する度合いにより前記第１貢献度を算出することを含み、
前記第２貢献度を算出することは、前記第２ユーザが前記第２電子機器を使用して、前記第２ストロークデータが手書き入力されたときの時間の偏りに関する度合いにより前記第２貢献度を算出することを含む
請求項６に記載の方法。
【請求項１１】
コンピュータにより実行されるプログラムであって、
複数のグループの各オーナー電子機器と通信接続され、第１電子機器と第２電子機器とが属するグループで作成され、前記第１電子機器上で手書き入力された複数の第１ストロークに対応する第１ストロークデータと、前記第２電子機器上で手書き入力された複数の第２ストロークに対応する第２ストロークデータとを含むドキュメントを、受信する手順と、
前記グループに属する第１ユーザの貢献を算出するため、前記第１ストロークデータを用いて、前記第１ユーザが前記第１電子機器を使用して前記ドキュメントの作成に貢献した度合いに関する第１貢献度を算出する手順と、
前記グループに属する第２ユーザの貢献を算出するため、前記第２ストロークデータを用いて、前記第２ユーザが前記第２電子機器を使用して前記ドキュメントの作成に貢献した度合いに関する第２貢献度を算出する手順と、
前記ドキュメント、前記第１貢献度、及び前記第２貢献度をディスプレイの画面に表示する手順と、
を前記コンピュータに実行させるプログラム。
【請求項１２】
前記第１ストロークデータに含まれるストロークの数、前記第１ストロークデータに含まれる複数の点の数、前記第１ストロークデータに含まれるストロークの長さ、の１つ以上に基づいて、前記第１貢献度を算出する手順と、
前記第２ストロークデータに含まれるストロークの数、前記第２ストロークデータに含まれる複数の点の数、前記第２ストロークデータに含まれるストロークの長さ、の１つ以上に基づいて、前記第２貢献度を算出する手順と、
を更に含む請求項１１に記載のプログラム。
【請求項１３】
前記第１ユーザによる前記第１ストロークデータ及び前記第２ストロークデータの入力又は編集において、手書き入力されるストロークのペンタイプ、色、太さ、及び透過度の少なくとも１つで規定される属性の変更に関する度合いにより前記第１貢献度を算出する手順と、
前記第２ユーザによる前記第１ストロークデータ及び前記第２ストロークデータの入力又は編集において、手書き入力されるストロークのペンタイプ、色、太さ、及び透過度の少なくとも１つで規定される属性の変更に関する度合いにより前記第２貢献度を算出する手順と、
を更に含む請求項１１に記載のプログラム。
【請求項１４】
前記第１ユーザが前記第１電子機器を使用して前記第２ストロークデータの内の１つ以上のストロークを編集した度合いにより前記第１貢献度を算出する手順と、
前記第２ユーザが前記第２電子機器を使用して前記第１ストロークデータの内の１つ以上のストロークを編集した度合いにより前記第２貢献度を算出する手順と、
を更に含む請求項１１に記載のプログラム。
【請求項１５】
前記第１ユーザが前記第１電子機器を使用して、前記第１ストロークデータが手書き入力されたときの時間の偏りに関する度合いにより前記第１貢献度を算出する手順と、
前記第２ユーザが前記第２電子機器を使用して、前記第２ストロークデータが手書き入力されたときの時間の偏りに関する度合いにより前記第２貢献度を算出する手順と、
を更に含む請求項１１に記載のプログラム。
【手続補正２】
【補正対象書類名】明細書
【補正対象項目名】０００９
【補正方法】変更
【補正の内容】
【０００９】
実施形態によれば、電子機器は、ディスプレイと、受信手段と、処理手段とを具備する。受信手段は、複数のグループの各オーナー電子機器と通信接続され、第１電子機器と第２電子機器とが属するグループで作成され、前記第１電子機器上で手書き入力された複数の第１ストロークに対応する第１ストロークデータと、前記第２電子機器上で手書き入力された複数の第２ストロークに対応する第２ストロークデータとを含むドキュメントを、受信する。処理手段は、前記複数のグループの各グループに属する各ユーザの貢献を算出する。前記処理手段は、前記第１ストロークデータを用いて、前記グループに属する第１ユーザが前記第１電子機器を使用して前記ドキュメントの作成に貢献した度合いに関する第１貢献度を算出し、前記第２ストロークデータを用いて、前記グループに属する第２ユーザが前記第２電子機器を使用して前記ドキュメントの作成に貢献した度合いに関する第２貢献度を算出し、前記ドキュメント、前記第１貢献度、及び前記第２貢献度を前記ディスプレイの画面に表示する。